(57)【特許請求の範囲】
【請求項１】
ページ・リダイレクト方法であって、
端末装置により送信された第１のアクセス要求に基づいて、前記第１のアクセス要求に対応しネットワーク・サーバによりフィードバックされた第１のアクセス応答を受信するステップであって、前記第１のアクセス要求はユーザがアクセスする必要があるページの第１のアクセス・アドレスを含むステップと、
リダイレクト決定指示に従って、前記第１のアクセス応答の復帰コードを修正し、リダイレクト先ページの少なくとも１つの第２のアクセス・アドレスおよび前記第１のアクセス・アドレスを前記第１のアクセス応答に追加するステップと、
前記端末装置が前記修正された復帰コードに従って第２のアクセス要求を送信し、前記端末装置が、前記第２のアクセス要求に対して返された第２のアクセス応答に従って、前記ユーザがアクセスする必要があるページおよび前記リダイレクト先ページを開くように、リダイレクト処理が実施される前記第１のアクセス応答を前記端末装置に送信するステップと、
前記リダイレクト決定指示に従って前記第１のアクセス・アドレスを取得し前記第１のアクセス要求に格納する前に、リダイレクト処理ルールに従って、前記第１のアクセス要求に対してリダイレクト処理を実施すると決定するステップと、
を含み、
前記リダイレクト処理ルールは、
ネットワーク・サーバにより通知されたバージョン更新メッセージが検出されたとき、前記バージョン更新メッセージにおいて、前記リダイレクト先ページのアクセス・アドレスをプロンプト・ページのアクセス・アドレスに設定することを含む、ステップ、または、
新規ショート・メッセージが検出されたとき、前記リダイレクト先ページのアクセス・アドレスを前記新規ショート・メッセージで通知されたプロンプト・ページのアクセス・アドレスに設定するステップ、または、
リダイレクトを１度実施した後、前記リダイレクト処理ルールをキャンセルするステップ
を含む、方法。
【請求項２】
前記第１のアクセス要求に対応しネットワーク・サーバによりフィードバックされた第１のアクセス応答を受信する前に、
前記端末装置により送信された前記第１のアクセス要求を受信するステップと、
前記リダイレクト決定指示に従って前記第１のアクセス・アドレスを取得し前記第１のアクセス要求に格納するステップと、
前記第１のアクセス要求を前記第１のアクセス・アドレスに対応するネットワーク・サーバに送信するステップと、
をさらに含む、請求項１に記載の方法。
【請求項３】
リダイレクト処理が実施される前記第１のアクセス応答を前記端末装置に送信して、前記端末装置が前記修正された復帰コードに従って第２のアクセス要求を送信するようにした後、
前記修正された復帰コードに従って、前記第１のアクセス・アドレスおよび前記少なくとも１つの第２のアクセス・アドレスを含み前記端末装置により送信された前記第２のアクセス要求を受信するステップと、
前記第２のアクセス要求を前記第１のアクセス・アドレスおよび前記少なくとも１つの第２のアクセス・アドレスに対応するネットワーク・サーバに送信するステップと、
前記第２のアクセス要求に対応し前記ネットワーク・サーバによりフィードバックされた前記第２のアクセス応答を受信するステップであって、前記第２のアクセス応答は、前記第１のアクセス・アドレスに対応するアクセス応答および前記少なくとも１つの第２のアクセス・アドレスに対応するアクセス応答を含む、ステップと、
前記第２のアクセス応答を前記端末装置に送信して、前記端末装置が、前記第２のアクセス応答に従って、前記ユーザがアクセスする必要があるページおよび前記リダイレクト先ページを開くようにするステップと、
をさらに含む、請求項１または２に記載の方法。
【請求項４】
端末装置により送信された第１のアクセス要求に基づいて、かつ、受信器を制御することによって、前記第１のアクセス要求に対応しネットワーク・サーバによりフィードバックされた第１のアクセス応答を受信するように構成された受信制御モジュールであって、前記第１のアクセス要求はユーザがアクセスする必要があるページの第１のアクセス・アドレスを含む、受信制御モジュールと、
リダイレクト決定指示に従って、前記受信制御モジュールにより受信された前記第１のアクセス応答の復帰コードを修正し、リダイレクト先ページの少なくとも１つの第２のアクセス・アドレスおよび前記第１のアクセス・アドレスを前記第１のアクセス応答に追加するように構成された、処理モジュールと、
送信器を制御することによって、前記処理モジュールによりリダイレクト処理が実施される前記第１のアクセス応答を前記端末装置に送信して、前記端末装置が前記修正された復帰コードに従って第２のアクセス要求を送信し、前記端末装置が、前記第２のアクセス要求に対して返された第２のアクセス応答に従って、前記ユーザがアクセスする必要があるページおよび前記リダイレクト先ページを開くようにするように構成された、送信制御モジュールと、
前記リダイレクト決定指示に従って前記第１のアクセス・アドレスを取得し前記第１のアクセス要求に格納する前に、リダイレクト処理ルールに従って、前記第１のアクセス要求に対してリダイレクト処理を実施すると決定するように構成された決定モジュールと、
を備え、
前記リダイレクト処理ルールは、サーバにより通知されたバージョン更新メッセージが検出されたとき、前記バージョン更新メッセージにおいて、前記リダイレクト先ページのアクセス・アドレスをプロンプト・ページのアクセス・アドレスに設定するステップ、または
新規ショート・メッセージが検出されたとき、前記リダイレクト先ページのアクセス・アドレスを前記新規ショート・メッセージで通知されたプロンプト・ページのアクセス・アドレスに設定するステップ、または、
リダイレクトを１度実施した後に前記リダイレクト処理ルールをキャンセルするステップ、
を含む、ルーティング装置。
【請求項５】
前記受信制御モジュールはさらに、前記受信器を制御することによって、前記第１のアクセス要求に対応し前記ネットワーク・サーバによりフィードバックされた前記第１のアクセス応答を受信する前に、前記受信器を制御することによって、前記端末装置により送信された前記第１のアクセス要求を受信するように構成され、
前記ルーティング装置はさらに、前記リダイレクト決定指示に従って前記第１のアクセス・アドレスを取得し前記第１のアクセス要求に格納するように構成された記憶モジュールを備え、
前記送信制御モジュールはさらに、前記送信器を制御することによって、前記第１のアクセス要求を前記第１のアクセス・アドレスに対応するネットワーク・サーバに送信するように構成される、
請求項４に記載のルーティング装置。
【請求項６】
前記受信制御モジュールはさらに、前記送信制御モジュールが、前記送信器を制御することによって、前記処理モジュールによりリダイレクト処理が実施される前記第１のアクセス応答を前記端末装置に送信して、前記端末装置が前記修正された復帰コードに従って前記第２のアクセス要求を送信するようにした後、前記受信器を制御することによって、前記修正された復帰コードに従って、前記第１のアクセス・アドレスおよび前記少なくとも１つの第２のアクセス・アドレスを含み前記端末装置により送信された前記第２のアクセス要求を受信するように構成され、
前記送信制御モジュールはさらに、前記送信器を制御することによって、前記受信制御モジュールが受信した前記第２のアクセス要求を前記第１のアクセス・アドレスおよび前記少なくとも１つの第２のアクセス・アドレスに対応するネットワーク・サーバに送信するように構成され、
前記受信制御モジュールはさらに、前記受信器を制御することによって、前記第２のアクセス要求に対応し前記ネットワーク・サーバによりフィードバックされた前記第２のアクセス応答を受信するように構成され、前記第２のアクセス応答は、前記第１のアクセス・アドレスに対応するアクセス応答および前記少なくとも１つの第２のアクセス・アドレスに対応するアクセス応答を含み、
前記送信制御モジュールはさらに、前記送信器を制御することによって、前記受信制御モジュールにより受信された前記第２のアクセス応答を前記端末装置に送信して、前記端末装置が、前記第２のアクセス応答に従って、前記ユーザがアクセスする必要があるページおよび前記リダイレクト先ページを開くようにするように構成される、
請求項４または５に記載のルーティング装置。
【請求項７】
ルーティング装置に送信された第１のアクセス要求に基づいて、および、端末受信器を制御することにより、リダイレクト処理が実施され前記ルーティング装置により送信された第１のアクセス応答を受信するように構成された端末受信制御モジュールであって、前記第１のアクセス要求はユーザがアクセスする必要があるページの第１のアクセス・アドレスを含み、前記第１のアクセス応答は前記ルーティング装置により修正された復帰コードおよび前記ルーティング装置により追加されたリダイレクト先ページの少なくとも１つの第２のアクセス・アドレスおよび前記第１のアクセス・アドレスを含む、端末受信制御モジュールと、
前記ルーティング装置によりリダイレクト処理が実施される前記第１のアクセス応答に基づいて、前記ユーザがアクセスする必要があるページおよび前記リダイレクト先ページを開くように構成された端末処理モジュールと、
を備え、
前記ルーティング装置は、リダイレクト決定指示に従って前記第１のアクセス・アドレスを取得し前記第１のアクセス要求に格納する前に、リダイレクト処理ルールに従って、前記第１のアクセス要求に対してリダイレクト処理を実施すると決定するように構成され、前記リダイレクト処理ルールは、
ネットワーク・サーバにより通知されたバージョン更新メッセージが検出されたとき、前記バージョン更新メッセージにおいて、前記リダイレクト先ページのアクセス・アドレスをプロンプト・ページのアクセス・アドレスに設定することを含む、ステップ、または、
新規ショート・メッセージが検出されたとき、前記リダイレクト先ページのアクセス・アドレスを前記新規ショート・メッセージで通知されたプロンプト・ページのアクセス・アドレスに設定するステップ、または、
リダイレクトを１度実施した後、前記リダイレクト処理ルールをキャンセルするステップ
を含む、端末装置。
【請求項８】
前記端末受信制御モジュールがリダイレクト処理が実施され前記ルーティング装置により送信された前記第１のアクセス応答を受信する前に、端末送信器を制御することによって、前記第１のアクセス要求を前記ルーティング装置に送信して、前記ルーティング装置が前記第１のアクセス・アドレスを取得し前記第１のアクセス要求に格納し、前記ルーティング装置が前記第１のアクセス要求を前記第１のアクセス・アドレスに対応するネットワーク・サーバに送信するようにするように構成された端末送信制御モジュールをさらに備える、請求項７に記載の端末装置。
【請求項９】
前記端末送信制御モジュールはさらに、前記ユーザがアクセスする必要があるページおよび前記リダイレクト先ページを前記端末処理モジュールが開く前に、前記端末送信器を制御することによって、前記修正された復帰コードに従って第２のアクセス要求を送信するように構成され、前記第２のアクセス要求は前記第１のアクセス・アドレスおよび前記少なくとも１つの第２のアクセス・アドレスを含み、
前記端末受信制御モジュールはさらに、前記端末受信器を制御することによって、前記第２のアクセス要求に対応し前記ルーティング装置により返された第２のアクセス応答を受信するように構成され、前記第２のアクセス応答は、前記第１のアクセス・アドレスに対応するアクセス応答および前記少なくとも１つの第２のアクセス・アドレスに対応するアクセス応答を含み、
前記端末処理モジュールは特に、前記端末受信制御モジュールにより受信された前記第２のアクセス応答に従って、前記ユーザがアクセスする必要があるページを、前記第１のアクセス要求が前記ルーティング装置に送信されたとき既に開かれている第１のディスプレイ・ウィンドウに表示し、第２のウィンドウを開いて前記リダイレクト先ページを表示するように構成される、
請求項８に記載の端末装置。
【請求項１０】
請求項４乃至６の何れか１項に記載のルーティング装置と請求項７乃至９の何れか１項に記載の端末装置とを備える、ページ・リダイレクト・システム。
【発明の詳細な説明】
【技術分野】
【０００１】
本願は発明の名称を「ページ・リダイレクト方法、ルーティング装置、端末装置およびシステム」とした、２０１３年９月１８日に中国特許庁に出願された中国特許出願第ＣＮ２０１３１０４３１７６８．Ｘに対する優先権を主張し、その内容を全体として引用により本明細書に組み込む。
【０００２】
本発明の諸態様は通信技術に関し、特に、ページ・リダイレクト方法、ルーティング装置、端末装置およびシステムに関する。
【背景技術】
【０００３】
インターネット技術の高速な発展により、ホーム・ネットワークまたはローカル・エリア・ネットワークにおける複数のユーザ端末装置に関する要求を満たすために、ますます多くのユーザ端末装置がルーティング装置を用いてネットワークにアクセスしている。
【０００４】
一般に、ルーティング装置は、ルーティング装置が使用されるとき、キャプティブ・ポータル・リダイレクトの機能を有する必要がある。例えば、ルーティング装置のアプリケーションを更新する必要があり端末装置がルーティング装置のポータル・ページにアクセスするとき、更新プロンプトが、ブラウザ・リダイレクトにより、宛先ネットワーク・アドレス変換（Ｄｅｓｔｉｎａｔｉｏｎ  Ｎｅｔｗｏｒｋ  Ａｄｄｒｅｓｓ  Ｔｒａｎｓｌａｔｉｏｎ、略してＤＮＡＴ）をユーザのブラウザの宛先アドレスまたは開かれたページのポートに対して実施して、ユーザによりアクセスされているページをルーティング装置に対する更新ページにリダイレクトするようにルーティング装置に指示し、それにより、ルーティング装置を更新し維持することをユーザにリマインドする。
【０００５】
先行技術では、ルーティング装置がユーザのブラウザをリダイレクトすることによりその構成を更新するとき、ユーザがアクセスする必要があるページがルーティング装置に対する更新ページにリダイレクトされ、ユーザがアクセスする必要があるページが通常は開けず、ブラウザのウィンドウが再度開かれ当該ページのアドレスが入力された後にのみアクセスできることとなり、これにより、ユーザがウェブページを閲覧するときに多数の不要なトラブルがもたらされる。
【発明の概要】
【課題を解決するための手段】
【０００６】
本発明の諸実施形態では、ユーザがアクセスする必要があるページが通常は開けないという問題を解決するためのページ・リダイレクト方法、ルーティング装置、端末装置およびシステムを提供する。
【０００７】
第１の態様によれば、ページ・リダイレクト方法が提供される。当該方法は、端末装置により送信された第１のアクセス要求に基づいて、第１のアクセス要求に対応しネットワーク・サーバによりフィードバックされた第１のアクセス応答を受信するステップであって、第１のアクセス要求は、ユーザがアクセスする必要があるページの第１のアクセス・アドレスを含むステップと、リダイレクト決定指示に従って、第１のアクセス応答の復帰コードを修正し、リダイレクト先ページの少なくとも１つの第２のアクセス・アドレスおよび第１のアクセス・アドレスを第１のアクセス応答に追加するステップと、リダイレクト処理が実施される第１のアクセス応答を端末装置に送信して、端末装置が修正された復帰コードに従って第２のアクセス要求を送信し、端末装置が、第２のアクセス要求に対して返された第２のアクセス応答に従って、ユーザがアクセスする必要があるページおよびリダイレクト先ページを開くようにするステップとを含む。
【０００８】
第１の態様の第１の可能な実装方式では、第１のアクセス要求に対応しネットワーク・サーバによりフィードバックされた第１のアクセス応答を受信する前に、当該方法はさらに、端末装置により送信された第１のアクセス要求を受信するステップと、リダイレクト決定指示に従って第１のアクセス・アドレスを取得し第１のアクセス要求に格納するステップと、第１のアクセス要求を第１のアクセス・アドレスに対応するネットワーク・サーバに送信するステップとを含む。
【０００９】
第１の態様の第１の可能な実装方式に従って、第２の可能な実装方式では、リダイレクト決定指示に従って第１のアクセス・アドレスを取得し第１のアクセス要求に格納する前に、当該方法はさらに、リダイレクト処理ルールに従って、第１のアクセス要求に対してリダイレクト処理を実施すると決定するステップであって、当該リダイレクト処理ルールは、ネットワーク・サーバにより通知されたバージョン更新メッセージが検出されたとき、当該バージョン更新メッセージにおいて、リダイレクト先ページのアクセス・アドレスをプロンプト・ページのアクセス・アドレスに設定することを含む、ステップ、または、新規ショート・メッセージが検出されたとき、リダイレクト先ページのアクセス・アドレスを当該新規ショート・メッセージで通知されたプロンプト・ページのアクセス・アドレスに設定するステップを含む。
【００１０】
第１の態様の第２の可能な実装方式に従って、第３の可能な実装方式では、リダイレクト処理ルールはさらに、リダイレクトを１度実施した後、当該リダイレクト処理ルールをキャンセルすることを含む。
【００１１】
第１の態様および第１の態様の第１乃至第３の可能な実装方式の何れか１つに従って、第４の可能な実装方式では、リダイレクト処理が実施される第１のアクセス応答を端末装置に送信して、端末装置が修正された復帰コードに従って第２のアクセス要求を送信するようにした後、当該方法はさらに、第１のアクセス・アドレスおよび少なくとも１つの第２のアクセス・アドレスを含み修正された復帰コードに従って端末装置により送信された第２のアクセス要求を受信するステップと、第２のアクセス要求を第１のアクセス・アドレスおよび少なくとも１つの第２のアクセス・アドレスに対応するネットワーク・サーバに送信するステップと、第２のアクセス要求に対応しネットワーク・サーバによりフィードバックされた第２のアクセス応答を受信するステップであって、第２のアクセス応答は、第１のアクセス・アドレスに対応するアクセス応答および少なくとも１つの第２のアクセス・アドレスに対応するアクセス応答を含むステップと、第２のアクセス応答を端末装置に送信して、端末装置が、第２のアクセス応答に従ってユーザがアクセスする必要があるページおよびリダイレクト先ページを開くようにするステップとを含む。
【００１２】
第２の態様によれば、ページ・リダイレクト方法が提供される。当該方法は、ルーティング装置に送信された第１のアクセス要求に基づいて、リダイレクト処理が実施されルーティング装置により送信された第１のアクセス応答を受信するステップであって、第１のアクセス要求は、ユーザがアクセスする必要があるページの第１のアクセス・アドレスを含み、第１のアクセス応答は、ルーティング装置により修正された復帰コードおよびルーティング装置により追加されたリダイレクト先ページの少なくとも１つの第２のアクセス・アドレスおよび第１のアクセス・アドレスを含む、ステップと、ルーティング装置によりリダイレクト処理が実施される第１のアクセス応答に基づいて、ユーザがアクセスする必要があるページおよびリダイレクト先ページを開くステップとを含む。
【００１３】
第２の態様の第１の可能な実装方式では、リダイレクト処理が実施されルーティング装置により送信された第１のアクセス応答を受信する前に、当該方法はさらに、第１のアクセス要求をルーティング装置に送信して、ルーティング装置が第１のアクセス・アドレスを取得し第１のアクセス要求に格納し、ルーティング装置が第１のアクセス要求を第１のアクセス・アドレスに対応するネットワーク・サーバに送信するようにするステップを含む。
【００１４】
第２の態様の第１の可能な実装方式に従って、第２の可能な実装方式では、ルーティング装置によりリダイレクト処理が実施される第１のアクセス応答に基づいて、ユーザがアクセスする必要があるページおよびリダイレクト先ページを開く前に、当該方法はさらに、修正された復帰コードに従って第２のアクセス要求を送信するステップであって、第２のアクセス要求は第１のアクセス・アドレスおよび少なくとも１つの第２のアクセス・アドレスを含む、ステップと、第２のアクセス要求に対応しルーティング装置により返された第２のアクセス応答を受信するステップであって、第２のアクセス応答は、第１のアクセス・アドレスに対応するアクセス応答および少なくとも１つの第２のアクセス・アドレスに対応するアクセス応答を含む、ステップとを含み、ルーティング装置によりリダイレクト処理が実施される第１のアクセス応答に基づいて、ユーザがアクセスする必要があるページおよびリダイレクト先ページを開くステップは、第２のアクセス応答に従って、第１のアクセス要求がルーティング装置に送信されたとき既に開かれている第１のディスプレイ・ウィンドウにユーザがアクセスする必要があるページを表示して、第２のウィンドウを開いてリダイレクト先ページを表示するステップを含む。
【００１５】
第３の態様によれば、ルーティング装置が提供される。当該装置は、端末装置により送信された第１のアクセス要求に基づいて、かつ、受信器を制御することによって、第１のアクセス要求に対応しネットワーク・サーバによりフィードバックされた第１のアクセス応答を受信するように構成された受信制御モジュールであって、第１のアクセス要求は、ユーザがアクセスする必要があるページの第１のアクセス・アドレスを含む、受信制御モジュールと、リダイレクト決定指示に従って、当該受信制御モジュールにより受信された第１のアクセス応答の復帰コードを修正し、リダイレクト先ページの少なくとも１つの第２のアクセス・アドレスおよび第１のアクセス・アドレスを第１のアクセス応答に追加するように構成された、処理モジュールと、送信器を制御することによって、当該処理モジュールによりリダイレクト処理が実施される第１のアクセス応答を端末装置に送信して、端末装置が修正された復帰コードに従って第２のアクセス要求を送信し、端末装置が、第２のアクセス要求に対して返された第２のアクセス応答に従って、ユーザがアクセスする必要があるページおよびリダイレクト先ページを開くようにするように構成された送信制御モジュールとを備える。
【００１６】
第３の態様の第１の可能な実装方式では、当該受信制御モジュールはさらに、当該受信器を制御することによって、第１のアクセス要求に対応しネットワーク・サーバによりフィードバックされた第１のアクセス応答を受信する前に、当該受信器を制御することによって、端末装置により送信された第１のアクセス要求を受信するように構成され、ルーティング装置はさらに、リダイレクト決定指示に従って第１のアクセス・アドレスを取得し第１のアクセス要求に格納するように構成された記憶モジュールを備え、当該送信制御モジュールはさらに、当該送信器を制御することによって、第１のアクセス要求を第１のアクセス・アドレスに対応するネットワーク・サーバに送信するように構成される。
【００１７】
第３の態様の第１の可能な実装方式に従って、第２の可能な実装方式では、ルーティング装置はさらに、当該記憶モジュールがリダイレクト決定指示に従って第１のアクセス・アドレスを取得し第１のアクセス要求に格納する前に、リダイレクト処理ルールに従って、第１のアクセス要求に対してリダイレクト処理を実施すると決定するように構成された決定モジュールを備える。当該リダイレクト処理ルールは、サーバにより通知されたバージョン更新メッセージが検出されたとき、当該バージョン更新メッセージにおいて、リダイレクト先ページのアクセス・アドレスをプロンプト・ページのアクセス・アドレスに設定すること、または、新規ショート・メッセージが検出されたとき、リダイレクト先ページのアクセス・アドレスを当該新規ショート・メッセージで通知されたプロンプト・ページのアクセス・アドレスに設定することを含む。
【００１８】
第３の態様の第２の可能な実装方式に従って、第３の可能な実装方式では、当該決定モジュールはさらに、リダイレクトを１度実施した後に当該リダイレクト処理ルールをキャンセルするように構成される。
【００１９】
第３の態様および第３の態様の第１乃至第３の可能な実装方式の何れか１つに従って、第４の可能な実装方式では、当該受信制御モジュールはさらに、当該送信制御モジュールが、当該送信器を制御することによって、当該処理モジュールによりリダイレクト処理が実施される第１のアクセス応答を端末装置に送信して、端末装置が修正された復帰コードに従って第２のアクセス要求を送信するようにした後、当該受信器を制御することによって、第１のアクセス・アドレスおよび少なくとも１つの第２のアクセス・アドレスを含み修正された復帰コードに従って端末装置により送信された第２のアクセス要求を受信するように構成され、当該送信制御モジュールはさらに、当該送信器を制御することによって、当該受信制御モジュールが受信した第２のアクセス要求を第１のアクセス・アドレスおよび少なくとも１つの第２のアクセス・アドレスに対応するネットワーク・サーバに送信するように構成され、当該受信制御モジュールはさらに、当該受信器を制御することによって、第２のアクセス要求に対応しネットワーク・サーバによりフィードバックされた第２のアクセス応答を受信するように構成され、第２のアクセス応答は、第１のアクセス・アドレスに対応するアクセス応答および少なくとも１つの第２のアクセス・アドレスに対応するアクセス応答を含み、当該送信制御モジュールはさらに、当該送信器を制御することによって、当該受信制御モジュールにより受信された第２のアクセス応答を端末装置に送信して、端末装置が、第２のアクセス応答に従ってユーザがアクセスする必要があるページおよびリダイレクト先ページを開くようにするように構成される。
【００２０】
第４の態様によれば端末装置が提供される。端末装置は、ルーティング装置に送信された第１のアクセス要求に基づいて、および、端末受信器を制御することにより、リダイレクト処理が実施されルーティング装置により送信された第１のアクセス応答を受信するように構成された端末受信制御モジュールであって、第１のアクセス要求は、ユーザがアクセスする必要があるページの第１のアクセス・アドレスを含み、第１のアクセス応答は、ルーティング装置により修正された復帰コードおよびルーティング装置により追加されたリダイレクト先ページの少なくとも１つの第２のアクセス・アドレスおよび第１のアクセス・アドレスを含む、端末受信制御モジュールと、ルーティング装置によりリダイレクト処理が実施される第１のアクセス応答に基づいて、ユーザがアクセスする必要があるページおよびリダイレクト先ページを開くように構成された端末処理モジュールとを備える。
【００２１】
第４の態様の第１の可能な実装方式では、端末装置はさらに、当該端末受信制御モジュールがリダイレクト処理が実施されルーティング装置により送信された第１のアクセス応答を受信する前に、端末送信器を制御することによって、第１のアクセス要求をルーティング装置に送信して、ルーティング装置が第１のアクセス・アドレスを取得し第１のアクセス要求に格納し、ルーティング装置が第１のアクセス要求を第１のアクセス・アドレスに対応するネットワーク・サーバに送信するようにするように構成された端末送信制御モジュールを備える。
【００２２】
第４の態様の第１の可能な実装方式に従って、第２の可能な実装方式では、当該端末送信制御モジュールはさらに、ユーザがアクセスする必要があるページおよびリダイレクト先ページを当該端末処理モジュールが開く前に、当該端末送信器を制御することによって、修正された復帰コードに従って第２のアクセス要求を送信するように構成され、第２のアクセス要求は第１のアクセス・アドレスおよび少なくとも１つの第２のアクセス・アドレスを含み、当該端末受信制御モジュールはさらに、当該端末受信器を制御することによって、第２のアクセス要求に対応しルーティング装置により返された第２のアクセス応答を受信するように構成され、第２のアクセス応答は、第１のアクセス・アドレスに対応するアクセス応答および少なくとも１つの第２のアクセス・アドレスに対応するアクセス応答を含み、当該端末処理モジュールは特に、当該端末受信制御モジュールにより受信された第２のアクセス応答に従って、ユーザがアクセスする必要があるページを、第１のアクセス要求がルーティング装置に送信されたとき既に開かれている第１のディスプレイ・ウィンドウに表示し、第２のウィンドウを開いてリダイレクト先ページを表示するように構成される。
【００２３】
第５の態様によればルーティング装置が提供される。ルーティング装置は、端末装置により送信された第１のアクセス要求に基づいて、第１のアクセス要求に対応しネットワーク・サーバによりフィードバックされた第１のアクセス応答を受信するように構成された受信器であって、第１のアクセス要求は、ユーザがアクセスする必要があるページの第１のアクセス・アドレスを含む、受信器と、リダイレクト決定指示に従って、当該受信器により受信された第１のアクセス応答の復帰コードを修正して、リダイレクト先ページの少なくとも１つの第２のアクセス・アドレスおよび第１のアクセス・アドレスを第１のアクセス応答に追加するように構成されたプロセッサと、当該プロセッサによりリダイレクト処理が実施される第１のアクセス応答を端末装置に送信して、端末装置が修正された復帰コードに従って第２のアクセス要求を送信し、端末装置が、第２のアクセス要求に対して返された第２のアクセス応答に従って、ユーザがアクセスする必要があるページおよびリダイレクト先ページを開くようにするように構成された送信器とを備える。
【００２４】
第５の態様の第１の可能な実装方式では、当該受信器はさらに、第１のアクセス要求に対応しネットワーク・サーバによりフィードバックされた第１のアクセス応答を受信する前に、端末装置により送信された第１のアクセス要求を受信するように構成され、当該プロセッサはさらに、リダイレクト決定指示に従って第１のアクセス・アドレスを取得し第１のアクセス要求に格納するように構成され、当該送信器はさらに、第１のアクセス要求を第１のアクセス・アドレスに対応するネットワーク・サーバに送信するように構成される。
【００２５】
第５の態様の第１の可能な実装方式に従って、第２の可能な実装方式では、当該プロセッサはさらに、第１のアクセス・アドレスを取得し第１のアクセス要求に格納する前に、リダイレクト処理ルールに従って、第１のアクセス要求に対してリダイレクト処理を実施すると決定するように構成される。当該リダイレクト処理ルールは、サーバにより通知されたバージョン更新メッセージが検出されたとき、当該バージョン更新メッセージにおいて、リダイレクト先ページのアクセス・アドレスをプロンプト・ページのアクセス・アドレスに設定すること、または、新規ショート・メッセージが検出されたとき、リダイレクト先ページのアクセス・アドレスを当該新規ショート・メッセージで通知されたプロンプト・ページのアクセス・アドレスに設定することを含む。
【００２６】
第５の態様の第２の可能な実装方式に従って、第３の可能な実装方式では、当該プロセッサはさらに、リダイレクトを１度実施した後に当該リダイレクト処理ルールをキャンセルするように構成される。
【００２７】
第５の態様および第５の態様の第１乃至第３の可能な実装方式の何れか１つに従って、第４の可能な実装方式では、当該受信器はさらに、当該送信器が、当該プロセッサによりリダイレクト処理が実施される第１のアクセス応答を端末装置に送信して端末装置が修正された復帰コードに従って第２のアクセス要求を送信するようにした後、第１のアクセス・アドレスおよび少なくとも１つの第２のアクセス・アドレスを含み修正された復帰コードに従って端末装置により送信された第２のアクセス要求を受信するように構成され、当該送信器はさらに、当該受信器により受信された第２のアクセス要求を第１のアクセス・アドレスおよび少なくとも１つの第２のアクセス・アドレスに対応するネットワーク・サーバに送信するように構成され、当該受信器はさらに、第２のアクセス要求に対応しネットワーク・サーバによりフィードバックされた第２のアクセス応答を受信するように構成され、第２のアクセス応答は、第１のアクセス・アドレスに対応するアクセス応答および少なくとも１つの第２のアクセス・アドレスに対応するアクセス応答を含み、当該送信器はさらに、当該受信器により受信された第２のアクセス応答を端末装置に送信して、端末装置が、第２のアクセス応答に従ってユーザがアクセスする必要があるページおよびリダイレクト先ページを開くようにするように構成される。
【００２８】
第６の態様によれば端末装置が提供される。端末装置は、ルーティング装置に送信された第１のアクセス要求に基づいて、リダイレクト処理が実施されルーティング装置により送信された第１のアクセス応答を受信するように構成された端末受信器であって、第１のアクセス要求は、ユーザがアクセスする必要があるページの第１のアクセス・アドレスを含み、第１のアクセス応答は、ルーティング装置により修正された復帰コードおよびルーティング装置により追加されたリダイレクト先ページの少なくとも１つの第２のアクセス・アドレスおよび第１のアクセス・アドレスを含む、端末受信器と、ルーティング装置によりリダイレクト処理が実施される第１のアクセス応答に基づいて、ユーザがアクセスする必要があるページおよびリダイレクト先ページを開くように構成された端末プロセッサとを備える。
【００２９】
第６の態様の第１の可能な実装方式では、当該端末受信器がリダイレクト処理が実施されルーティング装置により送信された第１のアクセス応答を受信する前に、第１のアクセス要求をルーティング装置に送信して、ルーティング装置が第１のアクセス・アドレスを取得し第１のアクセス要求に格納し、ルーティング装置が第１のアクセス要求を第１のアクセス・アドレスに対応するネットワーク・サーバに送信するようにするように構成された端末送信器を備える。
【００３０】
第６の態様の第１の可能な実装方式に従って、第２の可能な実装方式では、当該端末送信器はさらに、当該端末プロセッサが、ユーザがアクセスする必要があるページおよびリダイレクト先ページを開く前に、修正された復帰コードに従って第２のアクセス要求を送信するように構成され、第２のアクセス要求は第１のアクセス・アドレスおよび少なくとも１つの第２のアクセス・アドレスを含み、当該端末受信器はさらに、第２のアクセス要求に対応しルーティング装置により返された第２のアクセス応答を受信するように構成され、第２のアクセス応答は、第１のアクセス・アドレスに対応するアクセス応答および少なくとも１つの第２のアクセス・アドレスに対応するアクセス応答を含み、当該端末プロセッサは特に、当該端末受信器により受信された第２のアクセス応答に従って、ユーザがアクセスする必要があるページを、第１のアクセス要求がルーティング装置に送信されたときに開かれる第１のディスプレイ・ウィンドウに表示し、第２のウィンドウを開いてリダイレクト先ページを表示するように構成される。
【００３１】
第７の態様によればシステムが提供される。当該システムは、第３の態様および第３の態様の第１乃至第４の可能な実装方式の何れか１つに記載のルーティング装置と、第４の態様ならびに第４の態様の第１および第２の可能な実装方式の何れか１つに記載の端末装置とを備える。
【００３２】
本発明の諸実施形態で提供するページ・リダイレクト方法、ルーティング装置、端末装置およびシステムによれば、端末装置により送信されたアクセス要求に対応するアクセス応答を受信したとき、リダイレクト決定指示に従って、ルーティング装置が当該アクセス応答の復帰コードを修正して、ルーティング装置が対応する構成および当該アクセス要求に含まれる第１のアクセス・アドレスを完成するために使用するためのリダイレクト先ページの少なくとも１つの第２のアクセス・アドレスを当該アクセス応答に追加し、リダイレクト処理が実施されたアクセス応答を端末装置に返す。その結果、端末装置が、当該アクセス応答に従って、ユーザがアクセスする必要があるページおよびルーティング装置のリダイレクト先ページを開き、それにより、ルーティング装置がページをリダイレクトするとき、ユーザがアクセスする必要があるページに再度アクセスするために、ユーザが別のブラウザのウィンドウを再度開き、アクセスすべきページのアドレスを入力する必要があるという先行技術の問題を解決する。
【００３３】
本発明の諸実施形態または先行技術の技術的解決策をより明確に説明するために、以下では当該実施形態または先行技術を説明するのに必要な添付図面を簡単に説明する。明らかに、以下の説明における添付図面は本発明の幾つかの実施形態を示し、当業者は創造的作業なしにこれらの添付図面から他の図面を導出することができる。
【図面の簡単な説明】
【００３４】
【図１】本発明の実施形態１に従うページ・リダイレクト方法の流れ図である。
【図２Ａ】本発明の実施形態２に従うページ・リダイレクト方法の流れ図である。
【図２Ｂ】本発明の実施形態２に従うページ・リダイレクト方法の流れ図である。
【図３】本発明の実施形態３に従うページ・リダイレクト方法の流れ図である。
【図４】本発明の実施形態４に従うページ・リダイレクト方法の流れ図である。
【図５】本発明の実施形態５に従うルーティング装置の略構造図である。
【図６】本発明の実施形態７に従う端末装置の略構造図である。
【図７】本発明の実施形態９に従うルーティング装置の略構造図である。
【図８】本発明の実施形態１０に従う端末装置の略構造図である。
【発明を実施するための形態】
【００３５】
本発明の諸実施形態の目的、技術的解決策、および利点をより明確にするために、以下では本発明の諸実施形態の添付図面を参照して本発明の諸実施形態の技術的解決策を明確かつ十分に説明する。明らかに、説明する実施形態は本発明の諸実施形態の一部であって全部ではない。当業者が創造的作業なしに本発明の諸実施形態に基づいて得る他の全ての実施形態は本発明の保護範囲に入るものとする。
【００３６】
実施形態１
図１は、本発明の実施形態１に従うページ・リダイレクト方法の流れ図である。当該実施形態により提供される方法は、ルーティング装置を介してネットワークにアクセスする端末装置に適用可能である。ルーティング装置は、端末装置のブラウザによりアクセスされたページに対してリダイレクトを実施して、どのようにルーティング装置が構成要求を完了するかの状況を促す必要がある。当該方法をルーティング装置により実行してもよく、当該装置は一般にハードウェアおよびソフトウェアを用いて実装される。当該方法をルーティング装置のメモリに統合してもよく、例えば、プロセッサによる呼出しおよび実行のためにプロセッサ・チップに統合してもよい。図１に示すように、当該実施形態の方法は以下のステップを含む。
【００３７】
Ｓ１１０で、端末装置により送信された第１のアクセス要求に基づいて、第１のアクセス要求に対応しネットワーク・サーバによりフィードバックされた第１のアクセス応答を受信する。第１のアクセス要求は、ユーザがアクセスする必要があるページの第１のアクセス・アドレスを含む。
【００３８】
ユーザがブラウザを用いてウェブ・ページにアクセスすると、アクセス要求は一般にハイパーテキスト転送プロトコル（Ｈｙｐｅｒｔｅｘｔ  Ｔｒａｎｓｐｏｒｔ  Ｐｒｏｔｏｃｏｌ、略してＨＴＴＰ）を用いることによってネットワーク・サーバに送信される。ルーティング装置を用いることでアクセスされるネットワークでは、当該アクセス要求をルーティング装置により転送し送信する必要がある。したがって、当該実施形態で提供するページ・リダイレクト方法では、Ｓ１１０の前に、ルーティング装置が先ずは端末装置により送信された第１のアクセス要求を受信し、第１のアクセス要求はユーザがアクセスする必要があるページの第１のアクセス・アドレスを含む。その結果、ネットワーク・サーバが、第１のアクセス要求の第１のアクセス・アドレスに従って、第１のアクセス要求に対応する第１のアクセス応答をフィードバックする。
【００３９】
具体的な実装では、ルーティング装置が、リダイレクト処理ルールに従って、第１のアクセス要求に対してリダイレクト処理を実施することを決定する。当該リダイレクト処理ルールを予めルーティング装置で構成してもよく、一般に、ルーティング装置プロバイダが、ルーティング装置プロバイダにより生成されたルーティング装置に対する均一な構成を実施してもよい。例えば、ハードウェアおよびソフトウェアのモジュールをルーティング装置に追加して当該リダイレクト処理ルールを事前構成する。例えば、当該リダイレクト処理ルールが、サーバにより通知されるバージョン更新メッセージが検出されたとき、当該バージョン更新メッセージにおいて、リダイレクト先ページのアクセス・アドレスをプロンプト・ページのアクセス・アドレスに設定するステップを含んでもよい。例えば、当該リダイレクト処理ルールは、ルーティング装置の現在のバージョンに対して更新が利用可能であるとルーティング装置が検出したとき、ユーザのブラウザによりアクセスされたページをルーティング装置の当該バージョンを更新するためのページにリダイレクトするために用いられる。別の例として、当該リダイレクト処理ルールがさらに、新規ショート・メッセージが検出されたとき、リダイレクト先ページのアクセス・アドレスを当該新規ショート・メッセージで通知されたプロンプト・ページのアクセス・アドレスに設定することを含んでもよい。例えば、ユニバーサル加入者識別モジュール（Ｓｕｂｓｃｒｉｂｅｒ  Ｉｄｅｎｔｉｔｙ  Ｍｏｄｕｌｅ、略してＳＩＭ）をルーティング装置のバージョンにおいて構成してもよく、ＳＩＭが新たなメッセージを受信したことが検出されたとき、ユーザのブラウザによりアクセスされたページを、ルーティング装置内のＳＩＭ情報を参照するために用いられるページにリダイレクトしてもよい。場合によっては、上述のリダイレクト処理ルールはさらに、リダイレクトを１度実施した後、当該リダイレクト処理ルールをキャンセルすることを含む。当該実施形態におけるリダイレクト処理ルールが、上述のルールのうち１つまたは複数を含んでもよく、当該実施形態では限定されないことに留意されたい。
【００４０】
さらに、ルーティング装置が、一般に、ネットワーク・サーバにより通知されたリダイレクト決定指示に従って、第１のアクセス・アドレスを取得し第１のアクセス要求に格納してもよく、一方で、第１のアクセス要求を第１のアクセス・アドレスに対応するネットワーク・サーバに送信してもよい。その結果、ネットワーク・サーバが、第１のアクセス要求の第１のアクセス・アドレスに従って、第１のアクセス要求に対応する第１のアクセス応答をフィードバックし、さらに端末装置が、第１のアクセス要求に対応しネットワーク・サーバによりフィードバックされた第１のアクセス応答に従って、ユーザがアクセスする必要があるページを取得することができる。
【００４１】
特に、端末装置により送信された第１のアクセス要求を受信した後、ルーティング装置は、ユーザがアクセスする必要があるページの、第１のアクセス要求に含まれる第１のアクセス・アドレスを格納する。第１のアクセス・アドレスは、アクセス要求パケットのユニフォーム・リソース・ロケータ（Ｕｎｉｆｏｒｍ  Ｒｅｓｏｕｒｃｅ  Ｌｏｃａｔｏｒ、略してＵＲＬ）情報およびリンク情報を含む。一般に、当該アクセス要求パケットのリンク情報およびＵＲＬ情報は１対１のマッピング関係を有し、リンク情報に従って、当該リンク情報に対応するＵＲＬ情報を見つけることができる。具体的な実装では、当該ＵＲＬ情報は、ユーザがアクセスする必要があるページのネットワーク・アドレス情報、即ち、有用値Ｖａｌｕｅを含み、当該リンク情報は、Ｖａｌｕｅと１対１対応するキー値Ｋｅｙを含む。即ち、一意なマッピング関係が当該リンク情報および当該ＵＲＬの間に存在する。したがって、アクセス応答を受信すると、ルーティング装置が、当該アクセス応答に含まれ当該アクセス要求に対応するＵＲＬに従って、当該受信されたアクセス応答が当該格納された第１のアクセス・アドレスに対応するアクセス応答であるかどうか、即ち、当該受信されたアクセス応答が第１のアクセス要求に対応するアクセス応答であるかどうかを判定する。
【００４２】
Ｓ１２０で、リダイレクト決定指示に従って、第１のアクセス応答の復帰コードを修正し、リダイレクト先ページの少なくとも１つの第２のアクセス・アドレスおよび第１のアクセス・アドレスを第１のアクセス応答に追加する。
【００４３】
ルーティング装置はさらに、ネットワーク・サーバにより通知されたリダイレクト決定指示に従って、端末装置がアクセスする必要があるページにリダイレクトを実施して、対応する構成を完了してもよい。したがって、第１のアクセス応答の内容が修正され、特に第１のアクセス応答の復帰コードが修正され、ルーティング装置が対応する構成を完了するために用いられるリダイレクト先ページの少なくとも１つの第２のアクセス・アドレスが第１のアクセス応答に追加される。先行技術と異なるのは、ルーティング装置が第１のアクセス要求を受信したときに記録された第１のアクセス・アドレスがアクセス応答に追加されるということである。
【００４４】
Ｓ１３０で、リダイレクト処理が実施される第１のアクセス応答を端末装置に送信して、端末装置が修正された復帰コードに従って第２のアクセス要求を送信し、端末装置が、第２のアクセス要求に対して返された第２のアクセス応答に従って、ユーザがアクセスする必要があるページおよびリダイレクト先ページを開くようにする。
【００４５】
先行技術では、ルーティング装置は、ルーティング装置が対応する構成を完了するのに用いられるリダイレクト先ページのアクセス・アドレスのみをネットワーク・サーバによりフィードバックされたアクセス応答に追加するので、ユーザのブラウザはリダイレクト先ページのみを当該アクセス・アドレスに従って取得でき、当該ブラウザは、ルーティング装置が当該対応する構成を完了するのに用いられるリダイレクト先ページのみを開くことができる。ユーザがアクセスする必要があるページを開くために、ユーザは、ブラウザページを再度開き、ユーザがアクセスする必要があるアドレスを入力する必要がある。当該実施形態で提供するページ・リダイレクト方法では、ルーティング装置が修正された第１のアクセス応答を端末装置に送信する。先行技術と異なるのは、修正された第１のアクセス応答は第１のアクセス・アドレスおよび少なくとも１つの第２のアクセス・アドレスを含み、ユーザ装置が、第１のアクセス・アドレスに従って、ユーザがアクセスする必要があるページを取得し、少なくとも１つの第２のアクセス・アドレスに従ってリダイレクト先ページを取得してもよいということである。
【００４６】
具体的な実装では、ユーザ端末装置は、リダイレクト処理が実施される第１のアクセス応答を受信したときパケットを解析する。当該パケットを解析するとき、端末装置が、修正された第１のアクセス応答の復帰コードおよび追加されたアクセス・アドレスを識別してもよく、次いで、端末装置が自動的に、修正された第１のアクセス応答の復帰コードに従って第２のアクセス要求を再送する。当該再送された第２のアクセス要求は、フィードバックされた第１のアクセス応答に追加された第１のアクセス・アドレスおよび少なくとも１つの第２のアクセス・アドレスを含む。端末装置が、ルーティング装置により第２のアクセス要求に対して返された第２のアクセス応答に従って同時に、ユーザがアクセスする必要があるページおよびルーティング装置が当該対応する構成を完了するのに用いられるリダイレクト先ページを開いてもよい。
【００４７】
当該実施形態で提供するページ・リダイレクト方法では、端末装置により送信されたアクセス要求に対応するアクセス応答を受信したとき、リダイレクト決定指示に従って、ルーティング装置が当該アクセス応答の復帰コードを修正して、ルーティング装置が対応する構成および当該アクセス要求に含まれる第１のアクセス・アドレスを完成するために使用するためのリダイレクト先ページの少なくとも１つの第２のアクセス・アドレスを当該アクセス応答に追加し、リダイレクト処理が実施されたアクセス応答を端末装置に返す。その結果、端末装置は、当該アクセス応答に従って、ユーザがアクセスする必要があるページおよびルーティング装置のリダイレクト先ページを開くことができ、それにより、ルーティング装置がページをリダイレクトするとき、ユーザがアクセスする必要があるページに再度アクセスするために、ユーザが別のブラウザのウィンドウを再度開き、アクセスすべきページのアドレスを入力する必要があるという先行技術の問題を解決する。
【００４８】
実施形態２
図２Ａおよび図２Ｂは本発明の実施形態２に従うページ・リダイレクト方法の流れ図である。図２Ａおよび図２Ｂに示すように、当該実施形態の方法が以下を含んでもよい。
【００４９】
Ｓ２１０で、端末装置により送信された第１のアクセス要求に基づいて、第１のアクセス要求に対応しネットワーク・サーバによりフィードバックされた第１のアクセス応答を受信する。第１のアクセス要求は、ユーザがアクセスする必要があるページの第１のアクセス・アドレスを含む。
【００５０】
Ｓ２２０で、リダイレクト決定指示に従って、第１のアクセス応答の復帰コードを修正し、リダイレクト先ページの少なくとも１つの第２のアクセス・アドレスおよび第１のアクセス・アドレスを第１のアクセス応答に追加する。
【００５１】
Ｓ２３０で、リダイレクト処理が実施される第１のアクセス応答を端末装置に送信して、端末装置が修正された復帰コードに従って第２のアクセス要求を送信し、端末装置が、第２のアクセス要求に対して返された第２のアクセス応答に従って、ユーザがアクセスする必要があるページおよびリダイレクト先ページを開くようにする。
【００５２】
特に、Ｓ２１０乃至Ｓ２３０の具体的な実装については、実施形態１のＳ１１０乃至Ｓ１３０を参照されたい。
【００５３】
Ｓ２４０で、第１のアクセス・アドレスおよび第２のアクセス・アドレスを含み修正された復帰コードに従って端末装置により送信された第２のアクセス要求を受信する。
【００５４】
ルーティング装置が修正された復帰コードに従って端末装置により再送された第２のアクセス要求を受信する方式は第１のアクセス要求を送信するための方式と同じである。異なるのは、リダイレクト処理ルールに従って、リダイレクトを１度実施した後に当該リダイレクト処理ルールがキャンセルされること、即ち、端末装置により送信された第２のアクセス要求をこの時点で受信した後、当該リダイレクト処理ルールは既にキャンセルされ、その結果、第２のアクセス要求に含まれる、ページのアクセス・アドレスを取得し格納する操作を実施する必要がないということである。
【００５５】
Ｓ２５０で、第２のアクセス要求を、第１のアクセス・アドレスおよび少なくとも１つの第２のアクセス・アドレスに対応するネットワーク・サーバに送信する。
【００５６】
Ｓ２６０で、第２のアクセス要求に対応しネットワーク・サーバによりフィードバックされた第２のアクセス応答を受信する。第２のアクセス応答は、第１のアクセス・アドレスに対応するアクセス応答および少なくとも１つの第２のアクセス・アドレスに対応するアクセス応答を含む。
【００５７】
Ｓ２７０で、第２のアクセス応答を端末装置に送信して、端末装置が、第２のアクセス応答に従ってユーザがアクセスする必要があるページおよびリダイレクト先ページを開くようにする。
【００５８】
ルーティング装置が、再送された第２のアクセス要求に含まれるアクセス・アドレスに従って、新たな第２のアクセス要求を対応するネットワーク・サーバに送信する。具体的な実装では、ルーティング装置が、受信された第２のアクセス要求に含まれる第１のアクセス・アドレスおよび少なくとも１つの第２のアクセス・アドレスを取得してもよく、第２のアクセス要求を上述のアドレスに対応するネットワーク・サーバに送信する。ネットワーク・サーバはネットワーク・サーバ自体に対応するアクセス・アドレスのみを識別し、識別されたアクセス・アドレスに従ってアクセス応答をフィードバックする。その結果、第１のアクセス・アドレスに対応するネットワーク・サーバにより再びフィードバックされたアクセス応答および少なくとも１つの第２のアクセス・アドレスに対応するネットワーク・サーバにより再度フィードバックされたアクセス応答がユーザ端末に送信され、ユーザ端末が、再度フィードバックされたアクセス応答に従って、ユーザがアクセスする必要があるページおよびルーティング装置が対応する構成を完了するのに用いられるリダイレクト先ページを開く。
【００５９】
Ｓ２５０でルーティング装置によりネットワーク・サーバに送信された、第２のアクセス要求に含まれる第１のアクセス・アドレスおよび少なくとも１つの第２のアクセス・アドレスに対応するネットワーク・サーバが同じであってもよく、異なってもよいことに留意されたい。したがって、Ｓ２６０でルーティング装置により受信されたアクセス応答は上述のネットワーク・サーバに対応する。
【００６０】
当該実施形態で提供するページ・リダイレクト方法では、端末装置により送信されたアクセス要求に対応するアクセス応答を受信したとき、リダイレクト決定指示に従って、ルーティング装置が当該アクセス応答の復帰コードを修正して、ルーティング装置が対応する構成および当該アクセス要求に含まれる第１のアクセス・アドレスを完成するために使用するためのリダイレクト先ページの少なくとも１つの第２のアクセス・アドレスを当該アクセス応答に追加し、リダイレクト処理が実施されたアクセス応答を端末装置に返し、端末装置は、当該アクセス応答に従って、ユーザがアクセスする必要があるページおよびルーティング装置のリダイレクト先ページを開くことができ、それにより、ルーティング装置がページをリダイレクトするとき、ユーザがアクセスする必要があるページに再度アクセスするために、ユーザが別のブラウザのウィンドウを再度開き、アクセスすべきページのアドレスを入力する必要があるという先行技術の問題を解決する。特に、端末装置は、リダイレクト処理が実施されルーティング装置により返されたアクセス応答に従って、第１のアクセス・アドレスおよび少なくとも１つの第２のアクセス・アドレスを含む第２のアクセス要求を再送し、次いで、第２のアクセス要求に対してルーティング装置により返された第２のアクセス応答に従って、ユーザがアクセスする必要があるページおよびルーティング装置が対応する構成を完了するのに用いられるリダイレクト先ページを開く。
【００６１】
実施形態３
図３は本発明の実施形態３に従うページ・リダイレクト方法の流れ図である。当該実施形態により提供される方法は、ルーティング装置を介してネットワークにアクセスする端末装置に適用可能である。ルーティング装置は、端末装置のブラウザによりアクセスされたページにリダイレクトを実施して、どのようにルーティング装置が構成要求を完了するかの状況を促す必要がある。当該方法を端末装置により実行してもよく、当該装置は一般にハードウェアおよびソフトウェアを用いて実装され、当該方法を端末装置のメモリに統合してもよく、例えば、プロセッサによる呼出しおよび実行のためにプロセッサ・チップに統合してもよい。図３に示すように、当該実施形態の方法は以下のステップを含む。
【００６２】
Ｓ３１０で、ルーティング装置に送信された第１のアクセス要求に基づいて、リダイレクト処理が実施されルーティング装置により送信された第１のアクセス応答を受信する。第１のアクセス要求は、ユーザがアクセスする必要があるページの第１のアクセス・アドレスを含み、第１のアクセス応答は、ルーティング装置により修正された復帰コードおよびルーティング装置により追加されたリダイレクト先ページの少なくとも１つの第２のアクセス・アドレスおよび第１のアクセス・アドレスを含む。
【００６３】
ユーザが、端末装置を用いることにより、ユーザがアクセスする必要があるページにアクセスするとき、アクセス要求が一般にＨＴＴＰプロトコルを用いることによりネットワーク・サーバに送信される。ルーティング装置を用いることでアクセスされるネットワークでは、端末装置により送信された第１のアクセス要求を、ルーティング装置を用いることによってネットワーク・サーバに転送される必要がある。第１のアクセス要求はユーザがアクセスする必要があるページの第１のアクセス・アドレスを含み、その結果、ルーティング装置が当該アクセス要求を第１のアクセス・アドレスに対応するネットワーク・サーバに転送する。
【００６４】
当該実施形態で提供するページ・リダイレクト方法は、Ｓ３１０の前に、さらに、上述の第１のアクセス・アドレスを含む第１のアクセス要求をルーティング装置に送信して、ルーティング装置が第１のアクセス・アドレスを取得し第１のアクセス要求に格納し、ルーティング装置が第１のアクセス要求を第１のアクセス・アドレスに対応するネットワーク・サーバに送信するようにするステップを含む。第１のアクセス要求を受信した後、ネットワーク・サーバが第１のアクセス要求に対応する第１のアクセス応答をフィードバックする。ルーティング装置を用いることによる転送プロセスでは、ルーティング装置がリダイレクト処理を第１のアクセス応答に実施し、したがってルーティング装置により転送され端末装置により受信される第１のアクセス応答は、ユーザ端末装置がアクセスする必要があるページの第１のアクセス・アドレスだけでなく、ルーティング装置が対応する構成を完了するために用いられるリダイレクト先ページの少なくとも１つの第２のアクセス・アドレスも含む。
【００６５】
Ｓ３２０で、ルーティング装置によりリダイレクト処理が実施される第１のアクセス応答に基づいて、ユーザがアクセスする必要があるページおよびリダイレクト先ページを開く。
【００６６】
端末装置は、ルーティング装置によりリダイレクト処理が実施される第１のアクセス応答を受信する。先行技術と異なるのは、当該リダイレクト処理後の第１のアクセス応答が第１のアクセス・アドレスおよび少なくとも１つの第２のアクセス・アドレスを含み、端末装置のユーザのブラウザが、第１のアクセス・アドレスに従って、ユーザがアクセスする必要があるページを開き、少なくとも１つの第２のアクセス・アドレスに従ってリダイレクト先ページを開いてもよいということである。具体的な実装では、ユーザ端末装置が、第１のアクセス応答を受信したときにパケットを解析する。当該パケットを解析するとき、端末装置が、修正された第１のアクセス応答の復帰コードおよび当該追加されたアクセス・アドレスを識別してもよく、次いで端末装置が自動的に、修正された第１のアクセス応答の復帰コードに従って第２のアクセス要求を再送する。当該再送された第２のアクセス要求はフィードバックされた第１のアクセス応答に追加された第１のアクセス・アドレスおよび少なくとも１つの第２のアクセス・アドレスを含み、、さらに端末装置は、ルーティング装置により第２のアクセス要求に対して返された第２のアクセス応答に従って同時に、ユーザがアクセスする必要があるページおよびルーティング装置が対応する構成を完了するのに用いられるリダイレクト先ページを開く。
【００６７】
当該実施形態で提供するページ・リダイレクト方法では、端末装置が、リダイレクト処理が実施されルーティング装置により返されたアクセス応答を受信する。当該アクセス応答に対するリダイレクト処理は、ページ・リダイレクトが要求されたとき、受信されたアクセス応答の復帰コードが修正され、対応する構成を完了するために使用されるリダイレクト先ページの少なくとも１つの第２のアクセス・アドレスおよびアクセス要求に含まれる第１のアクセス・アドレスが当該アクセス応答に追加されるというものである。したがって、端末装置は、リダイレクト処理が実施された受信されたアクセス応答に従って、ユーザがアクセスする必要があるページおよびルーティング装置のリダイレクト先ページを開き、それにより、ルーティング装置がページをリダイレクトするとき、ユーザがアクセスする必要があるページに再度アクセスするために、ユーザが別のブラウザのウィンドウを再度開き、アクセスすべきページのアドレスを入力する必要があるという先行技術の問題を解決する。
【００６８】
実施形態４
図４は本発明の実施形態４に従うページ・リダイレクト方法の流れ図である。図４に示すように、当該実施形態の方法が以下を含んでもよい。
【００６９】
Ｓ４１０で、第１のアクセス・アドレスを含む第１のアクセス要求をルーティング装置に送信する。その結果、ルーティング装置が第１のアクセス・アドレスを取得し第１のアクセス要求に格納し、ルーティング装置が第１のアクセス要求を第１のアクセス・アドレスに対応するネットワーク・サーバに送信する。
【００７０】
Ｓ４２０で、ルーティング装置に送信された第１のアクセス要求に基づいて、リダイレクト処理が実施されルーティング装置により送信された第１のアクセス応答を受信する。第１のアクセス応答は、ルーティング装置により修正された復帰コードおよびルーティング装置により追加されたリダイレクト先ページの少なくとも１つの第２のアクセス・アドレスおよび第１のアクセス・アドレスを含む。
【００７１】
Ｓ４３０で、修正された復帰コードに従って第２のアクセス要求を送信する。第２のアクセス要求は第１のアクセス・アドレスおよび少なくとも１つの第２のアクセス・アドレスを含む。
【００７２】
端末装置は、修正された復帰コードに従って、受信された第１のアクセス応答が、リダイレクト処理が実施されたアクセス応答であると判定する。ルーティング装置が端末装置のブラウザによりアクセスされたページにリダイレクト処理を実施する必要があるときにのみ、ルーティング装置が、第１のアクセス応答の復帰コードを修正し、ルーティング装置が対応する構成を完了したリダイレクト先ページの少なくとも第２のアクセスおよび第１のアクセス・アドレスを追加する。したがって、端末装置は、修正された第１のアクセス応答の復帰コードに従って、第１のアクセス応答が、リダイレクト処理がルーティング装置により実施されるアクセス応答であり、さらに修正された復帰コードおよび第１のアクセス応答に追加されたアクセス・アドレスに従って第２のアクセス要求を再送する必要があると判定する。第２のアクセス要求に含まれるアドレスはリダイレクト処理が実施される第１のアクセス応答に追加されたアドレス、即ち、ユーザがアクセスする必要がある第１のアクセス・アドレスおよびルーティング装置が対応する構成を完了するために使用されるリダイレクト先ページの少なくとも１つの第２のアクセス・アドレスである。
【００７３】
Ｓ４４０で、第２のアクセス要求に対応しルーティング装置により返された第２のアクセス応答を受信する。第２のアクセス応答は、第１のアクセス・アドレスに対応するアクセス応答および少なくとも１つの第２のアクセス・アドレスに対応するアクセス応答を含む。
【００７４】
ルーティング装置は、端末装置により再送された第２のアクセス要求に従って、当該新たな第２のアクセス要求を第１のアクセス・アドレスおよび第２のアクセス・アドレスに対応するネットワーク・サーバに別々に送信し、第１のアクセス・アドレスに対応するネットワーク・サーバにより再びフィードバックされたアクセス応答および第２のアクセス・アドレスに対応するネットワーク・サーバによりフィードバックされたアクセス応答を、ユーザ端末装置にフィードバックする。
【００７５】
Ｓ４４０においてルーティング装置により返され端末装置により受信された第２のアクセス応答を１つのネットワーク装置により返してもよく、２つのネットワーク・サーバにより返してもよく、当該アクセス応答を返したネットワーク・サーバは、再送された第２のアクセス要求に含まれる第１のアクセス・アドレスおよび少なくとも１つの第２のアクセス・アドレスに対応することに留意されたい。
【００７６】
Ｓ４５０で、第２のアクセス応答に従って、ユーザがアクセスする必要があるページを、第１のアクセス要求がルーティング装置に送信されたとき既に開かれている第１のディスプレイ・ウィンドウに表示し、第２のディスプレイ・ウィンドウを開いてリダイレクト先ページを表示する。
【００７７】
当該実施形態で提供するページ・リダイレクト方法では、端末装置が、リダイレクト処理が実施されルーティング装置により返されたアクセス応答を受信する。当該アクセス応答に対するリダイレクト処理は、ページ・リダイレクトが要求されたとき、当該受信されたアクセス応答の復帰コードが修正され、対応する構成を完了するために使用されるリダイレクト先ページの少なくとも１つの第２のアクセス・アドレスおよびアクセス要求に含まれる第１のアクセス・アドレスが当該アクセス応答に追加されるというものである。したがって、端末装置は、リダイレクト処理が実施された受信されたアクセス応答に従って、ユーザがアクセスする必要があるページおよびルーティング装置のリダイレクト先ページを開き、それにより、ルーティング装置がページをリダイレクトするとき、ユーザがアクセスする必要があるページに再度アクセスするために、ユーザが別のブラウザのウィンドウを再度開き、アクセスすべきページのアドレスを入力する必要があるという先行技術の問題を解決する。特に、端末装置は、リダイレクト処理が実施されルーティング装置により返されたアクセス応答に従って、第１のアクセス・アドレスおよび少なくとも１つの第２のアクセス・アドレスを含む第２のアクセス要求を再送し、次いで、第２のアクセス要求に対してルーティング装置により返された第２のアクセス応答に従って、ユーザがアクセスする必要があるページおよびルーティング装置が対応する構成を完了するのに用いられるリダイレクト先ページを開く。
【００７８】
実施形態５
図５は本発明の実施形態５に従うルーティング装置の略構造図である。図５に示すように、当該実施形態により提供されたルーティング装置は特に、受信制御モジュール１１、処理モジュール１２および送信制御モジュール１３を備える。
【００７９】
受信制御モジュール１１は、端末装置により送信された第１のアクセス要求に基づいて、かつ、受信器を制御することによって、第１のアクセス要求に対応しネットワーク・サーバによりフィードバックされた第１のアクセス応答を受信するように構成される。第１のアクセス要求は、ユーザがアクセスする必要があるページの第１のアクセス・アドレスを含む。
【００８０】
処理モジュール１２は、リダイレクト決定指示に従って、受信制御モジュール１１により受信された第１のアクセス応答の復帰コードを修正し、リダイレクト先ページの少なくとも１つの第２のアクセス・アドレスおよび第１のアクセス・アドレスを第１のアクセス応答に追加するように構成される。
【００８１】
送信制御モジュール１３は、送信器を制御することによって、処理モジュール１２によりリダイレクト処理が実施される第１のアクセス応答を端末装置に送信して、端末装置が修正された復帰コードに従って第２のアクセス要求を送信し、端末装置が、第２のアクセス要求に対して返された第２のアクセス応答に従って、ユーザがアクセスする必要があるページおよびリダイレクト先ページを開くようにするように構成される。
【００８２】
さらに、当該実施形態により提供されたルーティング装置によれば、受信制御モジュール１１はさらに、当該受信器を制御することによって、第１のアクセス要求に対応しネットワーク・サーバによりフィードバックされた第１のアクセス応答を受信する前に、当該受信器を制御することによって、端末装置により送信された第１のアクセス要求を受信するように構成される。当該実施形態により提供されたルーティング装置はさらに、リダイレクト処理ルールに従って、第１のアクセス要求に対してリダイレクト処理を実施すると決定するように構成された決定モジュール１４と、リダイレクト決定指示に従って第１のアクセス・アドレスを取得し第１のアクセス要求に格納するように構成された記憶モジュール１５とを備える。例えば、当該リダイレクト処理ルールは、サーバにより通知されたバージョン更新メッセージが検出されたとき、当該バージョン更新メッセージにおいて、リダイレクト先ページのアクセス・アドレスをプロンプト・ページのアクセス・アドレスに設定することを含む。別の例として、当該リダイレクト処理ルールはさらに、新規ショート・メッセージが検出されたとき、リダイレクト先ページのアクセス・アドレスを当該新規ショート・メッセージで通知されたプロンプト・ページのアクセス・アドレスに設定することを含む。場合によっては、上述のリダイレクト処理ルールはさらに、リダイレクトを１度実施した後、当該リダイレクト処理ルールをキャンセルすることを含む。当該実施形態におけるリダイレクト処理ルールが、上述のルールのうち１つまたは複数を含んでもよく、当該実施形態では限定されないことに留意されたい。
【００８３】
さらに、送信制御モジュール１３はさらに、当該送信器を制御することによって、第１のアクセス要求を第１のアクセス・アドレスに対応するネットワーク・サーバに送信するように構成される。
【００８４】
本発明の当該実施形態で提供するルーティング装置は、本発明の実施形態１で提供したページ・リダイレクト方法を実行するように構成され、対応する機能モジュールを有する。その実装原理および技術的効果は同様であり、詳細についてはここでは再度繰り返すことはしない。
【００８５】
実施形態６
図５を参照する。図５は、本発明の実施形態６に従うルーティング装置の略構造図でもある。当該実施形態におけるルーティング装置の構造は実施形態５で提供したルーティング装置の構造と同じであるが、モジュール機能は異なる。当該実施形態では、受信制御モジュール１１はさらに、送信制御モジュール１３が、当該送信器を制御することによって、処理モジュール１２によりリダイレクト処理が実施される第１のアクセス応答を端末装置に送信して、端末装置が修正された復帰コードに従って第２のアクセス要求を送信するようにした後、当該受信器を制御することによって、第１のアクセス・アドレスおよび少なくとも１つの第２のアクセス・アドレスを含み修正された復帰コードに従って端末装置により送信された第２のアクセス要求を受信するように構成され、送信制御モジュール１３はさらに、当該送信器を制御することによって、受信制御モジュール１１により受信された第２のアクセス要求を、第１のアクセス・アドレスおよび少なくとも１つの第２のアクセス・アドレスに対応するネットワーク・サーバに送信するように構成され、受信制御モジュール１１はさらに、当該受信器を制御することによって、第２のアクセス要求に対応しネットワーク・サーバによりフィードバックされた第２のアクセス応答を受信するように構成され、第２のアクセス応答は、第１のアクセス・アドレスに対応するアクセス応答および少なくとも１つの第２のアクセス・アドレスに対応するアクセス応答を含み、送信制御モジュール１３はさらに、当該送信器を制御することによって、受信制御モジュール１１により受信された第２のアクセス応答を端末装置に送信して、端末装置が、第２のアクセス応答に従って、ユーザがアクセスする必要があるページおよびリダイレクト先ページを開くようにするように構成される。
【００８６】
本発明の当該実施形態で提供するルーティング装置は、本発明の実施形態１で提供したページ・リダイレクト方法を実行するように構成され、対応する機能モジュールを有する。その実装原理および技術的効果は同様であり、詳細についてはここでは再度繰り返すことはしない。
【００８７】
実施形態７
図６は、本発明の実施形態７に従う端末装置の略構造図である。図６に示すように、当該実施形態で提供する端末装置は特に、端末受信制御モジュール２１および端末処理モジュール２２を備える。
【００８８】
端末受信制御モジュール２１は、ルーティング装置に送信された第１のアクセス要求に基づいて、および、端末受信器を制御することにより、リダイレクト処理が実施されルーティング装置により送信された第１のアクセス応答を受信するように構成される。第１のアクセス要求は、ユーザがアクセスする必要があるページの第１のアクセス・アドレスを含み、第１のアクセス応答は、ルーティング装置により修正された復帰コードおよびルーティング装置により追加されたリダイレクト先ページの少なくとも１つの第２のアクセス・アドレスおよび第１のアクセス・アドレスを含む。
【００８９】
端末処理モジュール２２は、ルーティング装置によりリダイレクト処理が実施される第１のアクセス応答に基づいて、ユーザがアクセスする必要があるページおよびリダイレクト先ページを開くように構成される。
【００９０】
当該実施形態で提供する端末装置はさらに、リダイレクト処理が実施されルーティング装置により送信された第１のアクセス応答を端末受信制御モジュール２１が受信する前に、端末送信器を制御することにより、第１のアクセス要求をルーティング装置に送信して、ルーティング装置が第１のアクセス・アドレスを取得し第１のアクセス要求に格納し、ルーティング装置が第１のアクセス要求を第１のアクセス・アドレスに対応するネットワーク・サーバに送信するようにするように構成された端末送信制御モジュール２３を備える。
【００９１】
本発明の当該実施形態で提供する端末装置は本発明の実施形態３で提供したページ・リダイレクト方法を実行するように構成され、対応する機能モジュールを有する。その実装原理および技術的効果は同様であり詳細についてはここでは再度繰り返すことはしない。
【００９２】
実施形態８
図６を参照する。図６は、本発明の実施形態８に従うルーティング装置の略構造図でもある。当該実施形態の端末装置の構造は実施形態７で提供したルーティング装置の構造と同じであるが、モジュール機能は異なる。当該実施形態では、端末送信制御モジュール２３はさらに、ユーザがアクセスする必要があるページおよびリダイレクト先ページを端末処理モジュール２２が開く前に、当該端末送信器を制御することによって、修正された復帰コードに従って第２のアクセス要求を送信するように構成される。第２のアクセス要求は第１のアクセス・アドレスおよび少なくとも１つの第２のアクセス・アドレスを含み、端末受信制御モジュール２１はさらに、当該端末受信器を制御することによって、第２のアクセス要求に対応しルーティング装置により返された第２のアクセス応答を受信するように構成され、第２のアクセス応答は、第１のアクセス・アドレスに対応するアクセス応答および少なくとも１つの第２のアクセス・アドレスに対応するアクセス応答を含み、端末処理モジュール２２は特に、端末受信制御モジュール２１により受信された第２のアクセス応答に従って、ユーザがアクセスする必要があるページを、第１のアクセス要求がルーティング装置に送信されたとき既に開かれている第１のディスプレイ・ウィンドウに表示し、第２のウィンドウを開いてリダイレクト先ページを表示するように構成される。
【００９３】
本発明の当該実施形態で提供する端末装置は、本発明の実施形態４で提供したページ・リダイレクト方法を実行するように構成され、対応する機能モジュールを有する。その実装原理および技術的効果は同様であり、詳細についてはここでは再度繰り返すことはしない。
【００９４】
実施形態９
図７は本発明の実施形態９に従うルーティング装置の略構造図である。図７に示すように、当該実施形態により提供されたルーティング装置は特に、受信器３１、プロセッサ３２および送信器３３を備える。
【００９５】
受信器３１は、端末装置により送信された第１のアクセス要求に基づいて、第１のアクセス要求に対応しネットワーク・サーバによりフィードバックされた第１のアクセス応答を受信するように構成される。第１のアクセス要求は、ユーザがアクセスする必要があるページの第１のアクセス・アドレスを含む。
【００９６】
プロセッサ３２は、リダイレクト決定指示に従って、受信器３１により受信された第１のアクセス応答の復帰コードを修正し、リダイレクト先ページの少なくとも１つの第２のアクセス・アドレスおよび第１のアクセス・アドレスを第１のアクセス応答に追加するように構成される。
【００９７】
送信器３３は、プロセッサ３２によりリダイレクト処理が実施される第１のアクセス応答を端末装置に送信して、端末装置が修正された復帰コードに従って第２のアクセス要求を送信し、端末装置が、第２のアクセス要求に対して返された第２のアクセス応答に従って、ユーザがアクセスする必要があるページおよびリダイレクト先ページを開くようにするように構成される。
【００９８】
さらに、当該実施形態により提供されたルーティング装置によれば、受信器３１はさらに、第１のアクセス要求に対応しルーティング装置によりフィードバックされた第１のアクセス応答を受信する前に、端末装置により送信された第１のアクセス要求を受信するように構成され、プロセッサ３２はさらに、リダイレクト処理ルールに従って、第１のアクセス要求に対してリダイレクト処理を実施することを決定し、リダイレクト決定指示に従って第１のアクセス・アドレスを取得し第１のアクセス要求に格納するように構成される。例えば、当該リダイレクト処理ルールは、サーバにより通知されたバージョン更新メッセージが検出されたとき、当該バージョン更新メッセージにおいて、リダイレクト先ページのアクセス・アドレスをプロンプト・ページのアクセス・アドレスに設定することを含む。別の例として、当該リダイレクト処理ルールはさらに、新規ショート・メッセージが検出されたとき、リダイレクト先ページのアクセス・アドレスを当該新規ショート・メッセージで通知されたプロンプト・ページのアクセス・アドレスに設定することを含む。場合によっては、上述のリダイレクト処理ルールはさらに、リダイレクトを１度実施した後、当該リダイレクト処理ルールをキャンセルすることを含む。当該実施形態におけるリダイレクト処理ルールが、上述のルールのうち１つまたは複数を含んでもよく、当該実施形態では限定されないことに留意されたい。
【００９９】
さらに、送信器３３はさらに、第１のアクセス要求を第１のアクセス・アドレスに対応するネットワーク・サーバに送信するように構成される。
【０１００】
本発明の当該実施形態で提供するルーティング装置は、本発明の実施形態１で提供したページ・リダイレクト方法を実行するように構成され、対応するエンティティ装置を有する。その実装原理および技術的効果は同様であり、詳細についてはここでは再度繰り返すことはしない。
【０１０１】
場合によっては、上述の実施形態９で提供した装置構造に基づいて、受信器３１はさらに、送信器３３がプロセッサ３２によりリダイレクト処理が実施される第１のアクセス応答を端末装置に送信して、端末装置が修正された復帰コードに従って第２のアクセス要求を送信するようにした後、第１のアクセス・アドレスおよび少なくとも１つの第２のアクセス・アドレスを含み修正された復帰コードに従って端末装置により送信された第２のアクセス要求を受信するように構成される。
【０１０２】
送信器３３はさらに、受信器３１により受信された第２のアクセス要求を第１のアクセス・アドレスおよび少なくとも１つの第２のアクセス・アドレスに対応するネットワーク・サーバに別々に送信するように構成される。
【０１０３】
受信器３１はさらに、第２のアクセス要求に対応しネットワーク・サーバによりフィードバックされた第２のアクセス応答を受信するように構成される。第２のアクセス応答は、第１のアクセス・アドレスに対応するアクセス応答および少なくとも１つの第２のアクセス・アドレスに対応するアクセス応答を含む。
【０１０４】
送信器３３はさらに、受信器３１により受信された第２のアクセス応答を端末装置に送信して、端末装置が、第２のアクセス応答に従ってユーザがアクセスする必要があるページおよびリダイレクト先ページを開くようにするように構成される。
【０１０５】
本発明の当該実施形態で提供するルーティング装置は、本発明の実施形態２で提供したページ・リダイレクト方法を実行するように構成され、対応するエンティティ装置を有する。その実装原理および技術的効果は同様であり、詳細についてはここでは再度繰り返すことはしない。
【０１０６】
実施形態１０
図８は本発明の実施形態１０に従う端末装置の略構造図である。図８に示すように、当該実施形態で提供する端末装置は特に、端末受信器モジュール４１および端末プロセッサ４２を備える。
【０１０７】
端末受信器４１は、ルーティング装置に送信された第１のアクセス要求に基づいて、リダイレクト処理が実施されルーティング装置により送信された第１のアクセス応答を受信するように構成される。第１のアクセス要求は、ユーザがアクセスする必要があるページの第１のアクセス・アドレスを含み、第１のアクセス応答は、ルーティング装置により修正された復帰コードおよびルーティング装置により追加されたリダイレクト先ページの少なくとも１つの第２のアクセス・アドレスおよび第１のアクセス・アドレスを含む。
【０１０８】
端末プロセッサ４２は、ルーティング装置によりリダイレクト処理が実施される第１のアクセス応答に基づいて、ユーザがアクセスする必要があるページおよびリダイレクト先ページを開くように構成される。
【０１０９】
当該実施形態で提供する端末装置はさらに、リダイレクト処理が実施されルーティング装置により送信された第１のアクセス応答を端末受信器４１が受信する前に、第１のアクセス要求をルーティング装置に送信して、ルーティング装置が第１のアクセス・アドレスを取得し第１のアクセス要求に格納し、ルーティング装置が第１のアクセス要求を第１のアクセス・アドレスに対応するネットワーク・サーバに送信するようにするように構成された端末送信器４３を備える。
【０１１０】
本発明の当該実施形態で提供する端末装置は、本発明の実施形態３で提供したページ・リダイレクト方法を実行するように構成され、対応するエンティティ装置を有する。その実装原理および技術的効果は同様であり、詳細についてはここでは再度繰り返すことはしない。
【０１１１】
さらに、当該実施形態で提供する端末装置によれば、端末送信器４３はさらに、端末プロセッサ４２がユーザがアクセスする必要があるページおよびリダイレクト先ページを開く前に、修正された復帰コードに従って第２のアクセス要求を送信するように構成される。第２のアクセス要求は第１のアクセス・アドレスおよび少なくとも１つの第２のアクセス・アドレスを含む。
【０１１２】
端末受信器４１はさらに、ルーティング装置により返された第２のアクセス要求に対応する第２のアクセス応答を受信するように構成される。第２のアクセス応答は、第１のアクセス・アドレスに対応するアクセス応答および少なくとも１つの第２のアクセス・アドレスに対応するアクセス応答を含む。
【０１１３】
端末プロセッサ４２は特に、端末受信器４１により受信された第２のアクセス応答に従って、ユーザがアクセスする必要があるページを、第１のアクセス要求がルーティング装置に送信されたとき既に開かれている第１のディスプレイ・ウィンドウに表示し、第２のウィンドウを開いてリダイレクト先ページを表示するように構成される。
【０１１４】
本発明の当該実施形態で提供する端末装置は、本発明の実施形態４で提供したページ・リダイレクト方法を実行するように構成され、対応するエンティティ装置を有する。その実装原理および技術的効果は同様であり、詳細についてはここでは再度繰り返すことはしない。
【０１１５】
当該実施形態ではページ・リダイレクト・システムを提供する。当該システムがルーティング装置および端末装置を備えてもよい。
【０１１６】
ルーティング装置は、受信制御モジュール、処理モジュール、送信制御モジュール、決定モジュールおよび記憶モジュールを備える。具体的な内容に関しては、上述の実施形態のルーティング装置の受信制御モジュール１１、処理モジュール１２、送信制御モジュール１３、決定モジュール１４および記憶モジュール１５を参照されたい。詳細についてはここでは再度繰り返すことはしない。
【０１１７】
端末装置は、端末受信制御モジュール、端末処理モジュールおよび端末送信制御モジュールを備える。具体的な内容に関しては、上述の実施形態の端末装置の端末受信制御モジュール２１、端末処理モジュール２２および端末送信制御モジュール２３を参照されたい。詳細についてはここでは再度繰り返すことはしない。
【０１１８】
当該方法の実施形態のステップの全部または一部を、関連するハードウェアに指示するプログラムにより実装してもよいことは当業者には理解される。上述のプログラムを端末装置またはルーティング装置の可読記憶媒体に格納してもよい。当該プログラムを実行したとき、当該方法の実施形態の諸ステップが実施される。上述の記憶媒体には、ＲＯＭ、ＲＡＭ、磁気ディスク、または光ディスクのような、プログラムコードを格納できる任意の媒体が含まれる。
【０１１９】
最後に、上述の実施形態は本発明を限定するのではなく本発明の技術的解決策を説明するためのものにすぎないことに留意されたい。上述の実施形態を参照して本発明を詳細に説明したが、当業者は上述の実施形態に記録された技術的解決策に修正を加え、または、当該技術的解決策の技術的特徴の一部または全部に均等な置換えを行ってもよいが、これらの修正または置換えは当該対応する技術的解決策の本質を本発明の諸実施形態の技術的解決策の範囲から逸脱させるものではないことは当業者には理解される。
【符号の説明】
【０１２０】
１１  受信制御モジュール
１２  処理モジュール
１３  送信制御モジュール
１４  決定モジュール
１５  記憶モジュール
２１  端末受信制御モジュール
２２  端末処理モジュール
２３  端末送信制御モジュール
３１  受信器
３２  プロセッサ
３３  送信器
４１  端末受信器
４２  端末プロセッサ
４３  端末送信器
【図１】
0006256896.tif 000002
【図２Ａ】
0006256896.tif 000003
【図２Ｂ】
0006256896.tif 000004
【図３】
0006256896.tif 000005
【図４】
0006256896.tif 000006
【図５】
0006256896.tif 000007
【図６】
0006256896.tif 000008
【図７】
0006256896.tif 000009
【図８】
0006256896.tif 000010